(57)【特許請求の範囲】
【請求項１】
複数の副搬送部分から入れ込まれる薄片を主搬送路に合流させて搬送する合流搬送部分と、前記合流搬送部分から入れ込まれる前記薄片を前記主搬送路に沿って搬送する主搬送部分とを設けるとともに、前記副搬送部分と前記合流搬送部分との間に前記薄片を案内する案内導管を設けた薄片搬送装置であって、
前記案内導管の途中箇所に駆動電動機付きの搬送用ローラを設け、
同一の前記合流搬送部分に前記案内導管を介して接続されている前記複数の副搬送部分の中に、当該合流搬送部分に対して前記主搬送路における前記薄片の流れ方向の上流側に設けられている前記副搬送部分が含まれ、
当該上流側に設けられている前記副搬送部分と前記合流搬送部分とを接続している前記案内導管は、当該案内導管における前記副搬送部分側の端部から前記途中箇所までの部分と、当該案内導管における前記途中箇所から前記合流搬送部分側の端部までの部分とを、それぞれ、屈曲部分の曲げ角度が鈍角の緩やかな折れ線状に屈曲させて形成されていることを特徴とする薄片搬送装置。
【請求項２】
前記搬送用ローラを対向ローラで構成したことを特徴とする請求項１記載の薄片搬送装置。
【請求項３】
前記搬送用ローラを突条を設けたローラで構成するとともに、前記案内導管の壁部に前記突条に対向する案内溝を設けて構成したことを特徴とする請求項１記載の薄片搬送装置。
【請求項４】
請求項１から請求項３のいずれかに記載の薄片搬送装置を具備することを特徴とするパチンコ台島装置。
【発明の詳細な説明】
【０００１】
【発明の属する技術分野】
この発明は、複数の入口から入れ込まれた紙幣のような薄片を所定の経路方向に搬送する薄片搬送装置ならびに、その利用装置、例えば、複数台のパチンコ遊技機とその遊技球を貸付対価として入れ込まれた紙幣などを搬送する薄片搬送装置を設けたパチンコ台島装置などに関するものである。
【０００２】
【従来の技術】
パチンコ遊技機、または、パチンコ遊技機のゲート部分に跳ね返し機能やスロットマシン機能を設けたパチンコ・スロット遊技機などの遊技機（この発明では、これらの遊技機を総称して、パチンコ台という）を、図６のように複数台配置して、１つのブロック状に構成したものをパチンコ台島装置５００という。このパチンコ台島装置５００は、パチンコ店の内部において、あたかも複数の「島」を配置したように見えるので、通称を「島」とも呼ばれている。
【０００３】
なお、以下の図において、同一符号で示す部分は、いずれかの図において説明する同一符号の部分と同一の機能をもつ部分である。また、図中のごく太い線の部分は、その部分の端面または断面を略して画いた部分である。また、この発明において、部材とは、各構成部分を構成している構成材をいうものである。
【０００４】
そして、図６のように、パチンコ台の遊技に使用する遊技球の貸付対価として入れ込まれた紙幣、伝票、カード類などの薄片１００を搬送するための薄片搬送装置３００をパチンコ台島装置５００に組み付けた構成が周知である。
【０００５】
図６において、パチンコ台島装置５００には、複数台のパチンコ台Ｂを前列側と後列側とに分けて配置するとともに、パチンコ台Ｂ間の所要箇所に、パチンコ台Ｂに使用する遊技球、つまり、パチンコ玉を貸付けるための球貸装置（装置全体は図示せず）に入れ込まれた薄片１００を主搬送路Ｍにための副搬送路Ｓの部分を１つのブロック状に構成した副搬送部分Ｃを配置してある。なお、以下の説明において、上流側または下流側とは主搬送路Ｍにおける薄片１００の流れにおける上流側または下流側をいう。
【０００６】
また、前列側のパチンコ台Ｂと後列側のパチンコ台Ｂとの間の空間部分に主搬送路Ｍを構成する１つの主搬送路部分３００Ａを配置してあり、副搬送部分Ｃからの薄片１００を主搬送路部分３００Ａにより搬送して、例えば、主搬送路Ｍの終端に設けた収納箱１１０に薄片１００を収納する。
【０００７】
ここで、前列側と、後列側との区別は、構成を分かり易く説明するためのものであって、店内の配置などに関連づける意味のものではない。また、パチンコ台の列を前列側または後列側のみで構成したものも周知である。なお、前側と後側とは、構成を分かり易くするためのものであって、装置が配置される状態との関係を言うものではない。
【０００８】
そして、パチンコ台Ｂの大きさなどの異なりに対する対応や、現場での薄片搬送装置３００の組み付けの容易化などのために、図７〜図１２のように、主搬送路Ｍと副搬送路Ｓの合流箇所をブロック状にユニット化して構成した合流搬送部分２とし、各合流搬送部分２の間に配置される主搬送路Ｍの箇所をブロック状にユニット化して構成した主搬送部分４とに分けて配置することにより、主搬送部分４の長さＬ９のみを変更するだけで、各副搬送路Ｓの間の距離Ｌ１の変化に対応し得るようにした構成が周知である。なお、長さＬ２は副搬送部分Ｃの間の長さ、例えば、パチンコ台Ｂの長さである。
【０００９】
さらに、具体的な細部の構成は、例えば、図７〜図１０のように、副搬送部分Ｃにおける搬送構成を、ベルトＣ３ａ・Ｃ３ｂのように、対向して配置した同一速度で送行する２つの無端状のベルトの間に薄片１００を挟み込んで搬送する機構（以下、対向ベルト搬送機構という）によって構成し、また、主搬送部分４における搬送構成も同様にベルト４５Ａ・４５Ｂによる対向ベルト搬送機構によって構成してある。
【００１０】
主搬送部分４の対向ベルト搬送機構４５Ｂ・４５Ｂによるベルト伝動構成４Ｇは、図１０の〔伝動機構構成〕ような伝動機構によって駆動されており、合流搬送部分２の歯車伝動機構２Ｇの底部側の保持板２ｚに配置した駆動用の電動機、すなわち、駆動モータ２６により歯車２６ａを介して回転させられる歯車２９〜２９ｄと連動する２つの歯車４６ａ・４６ｂの軸に設けた各駆動側プーリ４３Ａ・４３Ｂによってベルト４５Ａ・４５Ｂを駆動している。
【００１１】
そして、対向ベルト搬送機構４５Ａ・４５Ｂにより従動される従動側プーリ４４Ａ・４４Ｂを次順の合流搬送部分２に近接した端部の位置に配置することにより、次順の合流搬送部分４に入れ込むようにしてある。したがって、駆動用の電動機、すなわち、駆動モータ２６は、合流搬送部分２と主搬送部分４との各搬送における伝動機構を駆動する駆動源になっている。
【００１２】
なお、ベルト４５Ａ・４５Ｂとの対向部分４２とベルトＣ３ａ・Ｃ３ｂの対向部分は、薄片１００が入り込む程度のごく僅かの隙間を設けるか、または、殆ど接触する状態になっている。
【００１３】
また、副搬送部分Ｃの対向ベルト搬送機構Ｃ３ａ・Ｃ３ｂの駆動構成は、これらのベルトを掛け渡したプーリＣ１ａ・Ｃ１ｂまたはプーリＣ２ａ・Ｃ２ｂを副搬送部分Ｃの内部に設けた上記の球貸装置（図示せず）の駆動モータ（図示せず）によって駆動している。
【００１４】
副搬送部分Ｃの対向ベルト搬送機構Ｃ３ａ・Ｃ３ｂは、薄片入口Ｃ１に設けた案内片Ｃ１Ａと、薄片１００を送出するための薄片導出口Ｃ２の部分を残して、適宜の保護覆Ｃ３で囲んであり、また、主搬送部分４の対向ベルト搬送機構４５Ａ・４５Ｂは、合流搬送部分２から送り込まれる薄片１００を取り込む側の端部に設けた案内片５９Ａと、搬送した薄片１００を次順の合流搬送部分２に送り込む側の端部に設けた案内片５９Ｂとの部分を残して、適宜の保護覆４Ａで囲んである。
【００１５】
主搬送部分４は、図８に示したように、合流搬送部分２に対して着脱できるようにしてあり、装着の際には、主搬送部分４に設けた案内片５９Ｂを合流搬送部分２の案内片２Ｂの部分に入れ込ませるとともに、主搬送部分４の両端の底面側を合流搬送部分２から張り出した受止具２ａ・２ｂで保持するとともに、主搬送部分４の上面側から張り出した掛止具４７の穴４７Ａに、合流搬送部分２の上面側に設けた突起３０を入れ込んで保持させている。
【００１６】
副搬送部分Ｃから入れ込まれた薄片１００に対する合流搬送部分２での搬送構成は、薄片１００を曲面を対向させた案内片２３Ａ１・２３Ａ２で案内するとともに、下流側の案内片２３Ａ１の途中部分に配置したローラ２５Ａ、すなわち、合流用の搬送ローラを薄片１００の片面に接しながら搬送して下流側の主搬送部分４に入れ込んでいる。この搬送構成は反対側の副搬送部分Ｃに対しても同様に対象形に配置してある。
【００１７】
上流側の主搬送部分４から送り込まれた薄片１００に対する合流搬送部分２での搬送構成は、平面を対向させた案内片２３Ｂ１・２３Ｂ２で案内するとともに、対向して接するように配置した２つのローラ（この発明において、対向ローラという）２４Ａ・２４Ｂで薄片１００の両面を挟みながら搬送して下流側の主搬送部分４に入れ込むようにしている。そして、合流搬送部分２は、所要の部分、例えば、案内片２３Ａ１・２３Ａ２、案内片２３Ｂ１・２３Ｂなど部分を残して、適宜の保護覆２Ａで囲んである。
【００１８】
合流搬送部分２の機構部分を保持する部分は、図１０のように、上下に配置した各保持板２ｚを適宜の箇所に配置した支柱（図示せず）で固定した枠体２ｙで構成してあって、上記の各案内片は、上下に対称に形成したものを保持板２ｚに固定するか、または、保持板２ｚと一体に形成してあり、また、各ローラの軸は保持板２ｚに配置した軸受（図示せず）によって保持してある。
【００１９】
なお、各ローラの軸は、各ローラの符号における末尾の英文字を小文字に変更した符号の軸になっている。また、図１０において、歯車２７〜２７Ｃ・２８Ａ・２８Ｂの部分も、歯車２９〜２９Ｄと同様に合流搬送部分２の各ローラの軸を駆動するための伝導機構部分である。そして、各ベルトは所要の幅をもつ平ベルトで構成してある。
【００２０】
上記の図７〜図１０の構成（以下、第１従来技術という）では、前側の副搬送部分Ｃと後側の副搬送部分Ｃとの外側の幅Ｗ、例えば、パチンコ台島装置５００の幅Ｗが異なった場合、例えば、パチンコ台Ｂの背面側に設けたパチンコ台に付随する動作機構部分（図示せず）の奥行きが異なることによって幅Ｗが変わったり、または、パチンコ店の室内通路などの都合などによって幅Ｗが変わったりする。
【００２１】
このため、図１１のように、各副搬送部分Ｃと各合流搬送部分２との間に薄片１００を案内して橋渡しをするための案内導管８を別体にして設けておき、案内導管８の長さＬ５によって幅Ｗを対応させるとともに、案内導管８から薄片１００が合流搬送部分２に入れ込む箇所に、取込用の対向ローラ７１Ａ・７１Ｂを配置して積極的に取り込むようにした構成（以下、第２従来技術という）が周知である。
【００２２】
そして、対向ローラ７１Ａ・７１Ｂのうちの一方のローラ７１Ａの軸７１ａを駆動モータ２６と連動する連動機構（図示せず）によって駆動するとともに、他方のローラ７１Ｂをばね７３によりローラ７１Ｂをローラ７１Ａに押し付けるようにしている。
【００２３】
さらに、幅Ｗが大きくて、案内導管８だけでは、薄片１００の取り込みができないか、取り込みが不安定な場合には、図１２・図１３のように、図１１における取込用の対向ローラ７１Ａ・７２Ｂによる取込部分を別体の取込用補助部分７として構成しておき、適宜の固定具、例えば、ねじ止めによって合流搬送部分２に取付固定する構成（以下、第３従来技術という）が周知である。
【００２４】
そして、取込用の対向ローラ７１Ａ・７２Ｂの部分は、図１２のように、駆動モータ２６と連動する連動機構（図示せず）によって駆動されるプーリ３１Ａと取込用のローラ７１Ａとの間に平ベルト７２Ａを掛け渡すとともに、この平ベルト７２Ａと他方のローラ７１Ｂとが対向するように構成している。
【００２５】
したがって、案内導管８の長さＬ５に、取込用捕縄部分７の長さＬ４が付加された分だけ、パチンコ台島装置５００の幅Ｗを広くすることが可能になるわけである。
【００２６】
図１３において、案内導管８は、図１２の副搬送部分Ｃの薄片導出口Ｃ２側が、薄片導出口Ｃ２に設けた枠体（図示せず）に、案内導管８の一端側に設けた内向きの掛け爪８２と外向きの掛け爪８３とを差し込むだけで固定できるように構成してあり、図１２の合流搬送部分２側が、案内導管８の他端側に設けた差込部分８１を取込用入口２Ｃの対向ローラ７１Ａ・７１Ｂの上下部分に差し込んで保持するように構成してある。そして、差込部分８１が入り込む量を変化させることにより、幅Ｗに対する調整も行えるようにしている。
【００２７】
さらに、合流搬送用のローラ、すなわち、ローラ２５の部分での搬送において、ローラ２５の形状を、図１０の〔無突起突条型構成〕のように、円環状の外面２５１ｚによる突条２５１Ａを設けた突条付ローラ２５１、または、図１０の〔突起付突条型構成〕のように、突起２５１Ａ１を等間隔で配置した突条２５１Ａを設けた突条付ローラ２５１に変更するとともに、突条２５１Ａと対向する案内片２３Ａ２の壁部に案内溝２３２ａを設けて、薄片１００に曲折部分１００Ｂを形成させながら搬送することにより、搬送１００の搬送を確実に行わせるようにした構成（以下、第４従来技術という）が周知である。
【００２８】
また、各副搬送部分Ｃから合流搬送部分２に入れ込まれる薄片１００が、主搬送部分４から合流搬送部分２に入れ込まれる薄片１００とが同時に入れ込まれると、これらの各薄片１００が重なりあって薄片１００を損傷するほか、搬送動作を故障させてしまう。
【００２９】
このため、各副搬送部分Ｃと主搬送部分４とに薄片１００の搬送を検出する検出部分（図示せず）を設けて各薄片１００の搬送状態を検出し、主搬送部分４からの薄片１００が合流搬送部分２に入れ込まれるときには、その合流搬送部分２に対応する副搬送部分Ｃからの入れ込みを停止するようにした構成（以下、第５従来技術という）が周知である。
【００３０】
さらに、合流搬送部分２・主搬送部分４の搬送動作を、常時、連続的に行わせる構成（以下、第６従来技術という）と、副搬送部分Ｃから薄片１００の入れ込みがあったときのみ合流搬送部分２・主搬送部分４の搬送動作を行わせるように構成（以下、第７従来技術という）とが周知である。
【００３１】
上記の構成では、前側の副搬送部分Ｃと後側の副搬送部分Ｃとが、合流搬送部分２に対して対称に配置してあるが、図１４のように、前側の副搬送部分Ｃと後側の副搬送部分Ｃとの位置を距離Ｌ３だけ上流側と下流側とにずらせておき、前側の副搬送部分Ｃに対する合流搬送部分２Ｓ１と、後側の副搬送部分Ｃに合流搬送部分２Ｓ２とを設けるようにした構成（以下、第８従来技術という）が周知である。そして、他用空間部分Ｄ、例えば、遊技客の鞄や貴重品類を入れる棚などに利用する部分にしてある。
【００３２】
なお、図１４の構成において、幅Ｗが広いときは、上記の第２従来技術・第３従来技術と同様に、案内導管８を設けて構成している。
【００３３】
また、上記の構成では、各合流搬送部分２・２Ｓ１・２Ｓ２に、例えば、図１０のように駆動モータ２６を配置して構成しているが、こうした駆動モータ２６を合流搬送部分のうちの１つ合流搬送部分２だけに駆動用モータ２６を設けて、すべての合流搬送部分と主搬送部分とを連動駆動させる構成（以下、第９従来技術という）が周知である。
【００３４】
【発明が解決しようとする課題】
上記の第２従来技術・第３従来技術の構成では、案内導管８の中に薄片１００が行き詰まってしまい、その箇所の副搬送部分Ｃを取り外して、行き詰まっている薄片１００を取り出さなければならないという不都合が生ずる。
【００３５】
また、第３従来技術の構成では、取込補助部分７におけるベルト伝動機構とその取付作業が複雑なため、装置を安価に提供し得ないという不都合があり、こうした不都合を避けるために、第２従来技術の構成にしたのでは、幅Ｗが大きい場合には、副搬送部分Ｃから入れ込まれた薄片１００が取込用の対向ローラに届かない状態で停止してしまい、上記の場合と同様に、案内導管８の中に薄片１００が行き詰ってしまうという不都合が生ずる。
【００３６】
さらに、上記の第８従来技術の構成では、合流搬送部分の配置を、前側の副搬送部分Ｃに対応する合流搬送部分２Ｓ１と、後側の副搬送部分Ｃに対応する合流搬送部分２とを別個に設けているほか、対向ベルト搬送機構４５Ａ・４５Ｂにおける前側のベルト４５Ａの位置と後側のベルト４５Ｂの位置をずらせて構成しているので、構成が複雑・高価になり、装置を簡便・安価にして提供し得ないなどの不都合がある。
このため、こうした不都合のない薄片搬送装置ならびにその利用装置、例えば、パチンコ台島装置の提供が望まれているという課題がある。
【００３７】
【課題を解決するための手段】
この発明は、上記のような複数の副搬送部分から入れ込まれる薄片を主搬送路に合流させて搬送する合流搬送部分と、上記の合流搬送部分から入れ込まれる上記の薄片を上記の主搬送路に沿って搬送する主搬送部分とを設けるとともに、上記の副搬送部分と上記の合流搬送部分との間に上記の薄片を案内する案内導管を設けた薄片搬送装置において、上記の案内導管の途中箇所に駆動電動機付きの搬送用ローラを設け、同一の前記合流搬送部分に前記案内導管を介して接続されている前記複数の副搬送部分の中に、当該合流搬送部分に対して前記主搬送路における前記薄片の流れ方向の上流側に設けられている前記副搬送部分が含まれ、当該上流側に設けられている前記副搬送部分と前記合流搬送部分とを接続している前記案内導管は、当該案内導管における前記副搬送部分側の端部から前記途中箇所までの部分と、当該案内導管における前記途中箇所から前記合流搬送部分側の端部までの部分とを、それぞれ、屈曲部分の曲げ角度が鈍角の緩やかな折れ線状に屈曲させて形成されている第１の構成と、
【００３８】
上記の第１の構成において、上記の搬送用ローラを対向ローラで構成した第２の構成と、
【００３９】
上記の第１の構成・第２の構成において、上記の搬送用ローラを突条を設けたローラで構成するとともに、上記の案内導管の壁部に上記の突条に対向する案内溝を設けて構成した第３の構成と、
【００４０】
パチンコ台島装置において、上記の第１の構成〜第３の構成による薄片搬送装置を設ける第４の構成とにより上記の課題を解決したものである。
【００４１】
【発明の実施の形態】
この発明の実施の形態として、上記の第１従来技術〜第９従来技術の構成にこの発明を適用した実施例を説明する。
【００４２】
【実施例】
〔第１実施例〕
以下、図１・図２により第１実施例を説明する。この第１実施例の構成が上記の図１１の第２従来技術の構成と異なる箇所は次の箇所である。
【００４３】
第１には、案内導管８の途中箇所に駆動電動機付きの搬送用ローラ、例えば、駆動モータ２６Ａで駆動される対向ローラ４１Ａ・４１Ｂを設けて構成した箇所である。
【００４４】
なお、対向ローラ４１Ａ・４１Ｂは、取込用の対向ローラ７１Ａ・７１Ｂと同様に、ばね４１Ｃによってローラ４１Ｂをローラ４１Ａに押し付けるように構成してある。
【００４５】
第２には、上記の対向ローラ４１Ａ・４１Ｂの部分を、図１０の第４従来技術における〔突起付突条型構成〕または〔無突起突条型構成〕と同様の突条付ローラ２５１に変更するとともに、案内導管８の壁部に、突条付ローラ２５１の突条２５１Ａに対向する案内溝２３２ａを設けるように変更して構成した箇所である。
【００４６】
第３には、各部の駆動を制御する制御部分（図示せず）によって、対向ローラ４１Ａ・４１Ｂまたは突条付ローラ２５１の外周速度と、対向ベルト搬送機構Ｃ３ａ・Ｃ３ｂの走行速度と、対向ローラ７１Ａ・７１Ｂの外周速度とを同一速度にして駆動し、または、対向ベルト搬送機構Ｃ３ａ・Ｃ３ｂの走行速度、対向ローラ４１Ａ・４１Ｂまたは突条付ローラ２５１の外周速度、対向ローラ７１Ａ・７１Ｂの外周速度の順序で、僅かずつ速度を増加、例えば、３〜５％ずつ増加させた速度にして駆動することにより、薄片１００の搬送に弛みが生じないように構成した箇所である。
【００４７】
つまり、この第１実施例の構成は、概括的には、第１には、
複数の副搬送部分Ｃから入れ込まれる薄片１００を主搬送路Ｍに合流させて搬送する合流搬送部分２と、上記の合流搬送部分２から入れ込まれる上記の薄片１００を上記の主搬送路Ｍに沿って搬送する主搬送部分４とを設けるとともに、上記の副搬送部分Ｃと上記の合流搬送部分２との間に上記の薄片１００を案内する案内導管８を設けた薄片搬送装置３００において、
上記の案内導管８の途中箇所に駆動電動機付きの搬送用ローラ、例えば、駆動モータ２６Ａで駆動される対向ローラ４１Ａ・４１Ｂ、または、突条付ローラ２５１を設ける案内導管搬送手段
を設けた上記の第１の構成を構成しているものである。
【００４８】
第２には、上記の第１の構成において、
上記の搬送用ローラを対向ローラ４１Ａ・４１Ｂで構成した上記の第３の構成と、
上記の搬送用ローラを突条、例えば、突条２５１Ａを設けたローラ、例えば、突条付ローラ２５１で構成するとともに、上記の案内導管８の壁部に上記の突条２５１Ａに対向する案内溝２３２ａを設けて構成した上記の第４の構成と
を構成しているものである。
【００４９】
第３には、パチンコ台島装置５００において、
上記の第１の構成・第３の構成・第４の構成による薄片搬送装置３００を設けた第５の構成を構成していることになるものである。
【００５０】
そして、具体的には、搬送ローラを対向ローラ４１Ａ・４１Ｂにして構成した場合には、図２のように、案内導管８の途中箇所の両側の壁部にローラ用穴Ａ１Ｂを設けて、対向ローラ４１Ａ・４１Ｂを外面を案内導管８の通路の中に入れ込むように構成している。
【００５１】
そして、対向ローラ４１Ａ・４１Ｂの軸４１ａ・４１ｂを案内導管８の上下部分から張り出した張出部分に設けた軸受部分（図示せず）で保持するとともに、駆動側のローラ４１Ａの軸４１ａを駆動する駆動モータ２６Ａを案内導管８の下部分から張り出した張出部分に取り付けて構成している。なお、ばね４１Ｃは、例えば、軸４１ｂの上下部分と対向して設けた適宜の掛止部分４１Ｃ１との間に掛け渡してある。
【００５２】
また、搬送ローラを突条付ローラ２５１にして構成した場合には、図示していないが、図２において、上記のローラ用穴Ａ１Ｂを案内導管８の片側の壁部のみに設けて、ローラ４１Ａを突条付ローラ２５１に変更するとともに、ローラ用穴Ａ１Ｂを設けた箇所の対向側の壁部に、図１０の〔突起付突条型構成〕または〔無突起突条型構成〕における案内溝２３２ａと同様の案内溝を設けるように変更して構成している。なお、案内導管８の長さＬ７は幅Ｗの変化に対応して変化させることは言うまでもない。
【００５３】
したがって、この第１実施例によれば、案内導管８の途中箇所に設けた駆動電動機付きの搬送用ローラ、例えば、駆動モータ２６Ａにより駆動される対向ローラ４１Ａ・４１Ｂ、または、駆動モータ２６Ａにより駆動される突条付ローラ２５１と案内溝２３２ａとによって、案内導管８の中にある薄片１００を搬送するように構成しているので、案内導管８の中に薄片１００が行き詰まるような故障を無くすることができる。
【００５４】
〔第２実施例〕
図３・図４により第２実施例を説明する。この第２実施例の構成が上記の第１の構成と異なる箇所は次の箇所である。
【００５５】
第１には、第１実施例における案内導管８部分の構成、すなわち、案内導管８の途中箇所に駆動電動機付きの搬送用ローラを設けた構成を、図９の第１従来技術の構成における副搬送部分Ｃと合流搬送部分２との間に設けるように変更した箇所である。
【００５６】
第２には、上記の変更によって、図９の第１従来技術の構成における幅Ｗよりも大きく、図１１の第２従来技術の構成における幅Ｗ程度までの幅Ｗをもつ薄片搬送装置１００に利用し得るように構成した箇所である。なお、案内導管８の長さＬ６は幅Ｗの変化に対応して変化にさせることは言うまでもない。
【００５７】
つまり、この第２実施例の構成は、概括的には、上記の第１実施例の構成の場合と同様に、上記の第１の構成・第３の構成・第４の構成・第５の構成を構成していることになるものである。
【００５８】
そして、この第２実施例の構成によれば、幅Ｗの比較的大きい装置において、取込用の対向ローラ７１Ａ・７１Ｂと対向ローラ７１Ａ・７１Ｂに対する伝動機構とを不要にして簡便安価に構成できるとともに、上記の第１実施例の場合と同様に、案内導管８の中に薄片１００が行き詰まるような故障を無くすることができる。
【００５９】
〔第３実施例〕
以下、図５により第３実施例を説明する。この第３実施例の構成が上記の第１実施例の構成と異なる箇所は次の箇所である。
【００６０】
第１には、上記の第１実施例における案内導管８部分の構成、すなわち、案内導管８の途中箇所に駆動電動機付きの搬送用ローラを設けた構成を、図１４の第８従来技術の構成のように、前側の副搬送部分Ｃと後側の副搬送部分Ｃとの配置位置を距離Ｌ３だけ上流側と下流側とにずらせた構成に適用するように変更した箇所である。
【００６１】
第２には、上記の変更によって、図１４の第８従来技術の構成における合流搬送部分２Ｓ１と合流搬送部分２Ｓ２との部分に代えて、図１１の第２従来技術の構成における合流搬送部分２を１つ設けるだけの簡便安価な構成に変更できるように構成した箇所である。
【００６２】
つまり、この第２実施例の構成は、概括的には、第１には、上記の第１の構成における薄片搬送装置と同様の薄片搬送装置において、上流側の上記の副搬送部分Ｃと下流側の上記の合流搬送部分２との間に上記の案内導管８を配置するとともに、上記の案内導管８の途中箇所に駆動電動機付きの搬送用ローラ、例えば、駆動モータ２６Ａで駆動される対向ローラ４１Ａ・４１Ｂ、または、突条付ローラ２５１を設ける上下流案内導管搬送手段を設けた上記の第２の構成を構成しているものである。
【００６３】
第２には、上記の第２の構成において、
上記の搬送用ローラを対向ローラ４１Ａ・４１Ｂで構成した上記の第３の構成と、
上記の搬送用ローラを突条、例えば、突条２５１Ａを設けたローラ、例えば、突条付ローラ２５１で構成するとともに、上記の案内導管８の壁部に上記の突条２５１Ａに対向する案内溝２３２ａを設けて構成した上記の第４の構成と
を構成しているものである。
【００６４】
第３には、パチンコ台島装置５００において、
上記の第２の構成〜第４の構成による薄片搬送装置３００を設けた第５の構成を構成していることになるものである。
【００６５】
そして、具体的には、図５のように、図１・図２の第１実施例における後側の案内導管８において、案内導管８の副搬送部分Ｃ側の端部と対向ローラ４１Ａ・４１Ｂとの間の箇所と、案内導管８の合流搬送部分２側の端部と対向ローラ４１Ａ・４１Ｂとの間の箇所とを、それぞれ、曲線状に屈曲させて形成することによって、上流側に配置した副搬送部分Ｃと下流側に配置した合流搬送部分２との間における薄片１００の搬送を行わせるように構成したものである。なお、案内導管８の長さＬ７・Ｌ８は、幅Ｗの変化に対応して、長さＬ７または長さＬ８のいずれか一方または両方を変化させることは言うまでもない。
【００６６】
そして、前側の副搬送部分Ｃと合流搬送部分２との間の案内導管８は、直線状の案内導管にして構成してある。なお、前側の副搬送部分Ｃが上流側に配置され、後側の副搬送部分Ｃが下流側に配置されているような対向ずれの場合には、案内導管８の配置を上記の配置と逆にして構成すればよいわけである。
【００６７】
したがって、この第３実施例の構成によれば、前側の副搬送路Ｃと後側の副搬送路Ｃとが対向ずれしている構成の場合でも、途中箇所に駆動電動機付きの搬送用ローラを設けた案内導管８の副搬送部分Ｃ側と合流搬送部分２側とを屈曲させて構成するだけの簡便安価な構成で、１つの合流搬送部分２を共用して合流させることができるとともに、上記の第１実施例・第２実施例と同様に、案内導管８の中に薄片１００が行き詰まるような故障を無くすることができる。
【００６８】
また、案内導管８を上流側の副搬送部分Ｃから下流側の合流搬送部分２に接続するように構成しているので、薄片１００が合流搬送部分２の取込用入口２Ｃの付近で逆向きの搬送にならないため、薄片１００が取込用入口２Ｃの付近で行き詰まる故障を無くすることができる。
【００６９】
〔変形実施〕
この発明は次のように変形して実施することを含むものである。
（１）図１・図２の第１実施例の構成において、前側の案内導管８の長さＬ７と後側の案内導管８の長さＬ７とを異なる長さにして構成する。
【００７０】
（２）図３・図４の第２実施例の構成において、前側の案内導管８の長さＬ６と後側の案内導管８の長さＬ６とを異なる長さにして構成する。
（３）図５の第３実施例の構成において、前側の案内導管８の長さＬ７と後側の案内導管８の長さＬ８とを異なる長さにして構成する。
【００７１】
（４）図１・図２の第１実施例の構成、または、図３・図４の第２実施例の構成において、前側の案内導管８または後側の案内導管８のいずれか一方を、図１１の第２従来技術の構成における案内導管８と同様に、駆動電動機付きの搬送用ローラを設けない単なる短い直線状の案内導管８にして構成する。
【００７２】
そして、この構成の場合には、単なる短い直線状の案内導管８は長さを薄片１００に比べてごく短い長さにすることにより、薄片１００が案内導管８の中に行き詰まることがないようにしている。
【００７３】
（５）図５の第３実施例の構成において、直線状の案内導管８の方を、上記（４）と同様に、単なる短い直線状の案内導管８にして構成する。
（６）図５の第３実施例の構成において、合流搬送部分２の構成を、図３・図４の第２実施例と同様に、取込用の対向ローラ７１Ａ・７１Ｂを除去して構成する。
【００７４】
（７）図５の第３実施例の構成において、駆動電動機付きの搬送用ローラを設ける案内導管８の屈曲形状を、曲げ角度が鈍角の緩やかな折れ線状の屈曲にして構成する。
【００７５】
（８）図１・図２の第１実施例の構成、または、図３・図４の第２実施例の構成において、前側の案内導管８または後側の案内導管８のいずれか一方を除去して構成する。
【００７６】
（９）図５の第３実施例の構成において、前側の長さＬ７の案内導管８を除去して構成する。
（１０）案内導管８の掛け爪８２・８３による取付部分を縦長四角形のフランジと取付ねじとによる取付に変更して構成する。
【００７７】
（１１）案内導管８の掛け爪８２・８３による取付部分、または、上記（１０）のフランジと取付ねじとによる取付を、合流搬送部分２の取込用入口２Ｃの部分に取り付け、案内導管８の差込部分８１を副搬送部分Ｃの薄片導出部分Ｃ２に差し込むように変更して構成する。
【００７８】
【発明の効果】
この発明によれば、以上のように、案内導管の途中箇所に駆動電動機付きの搬送用ローラを配置しているので、案内導管の中に薄片が行き詰まるような故障が無くなるなどの特長がある。
【００７９】
また、副搬送部分が対向ずれしている構成の場合には、案内導管を上流側の副搬送部分から下流側の合流搬送部分に接続しているため、装置を簡便安価に構成できるほか、合流搬送部分の取込用入口付近で薄片の行き詰まるような故障を無くすることができるなどの特長がある。
【００８０】
さらに、薄片を紙幣としたパチンコ台島装置などに適用した利用装置では、上記の特長によって、装置の稼働損失を低減し得るなどの特長が得られる効果がある。
【図面の簡単な説明】
図面中、図１〜図５はこの発明の実施例を、また、図６〜図１４は従来技術を示し、各図の内容は次のとおりである。
【図１】要部構成横断平面図
【図２】要部構成分解斜視図
【図３】要部構成横断平面図
【図４】要部構成分解斜視図
【図５】要部構成横断平面図
【図６】全体構成横断平面図
【図７】要部構成横断平面図
【図８】要部構成正面図
【図９】要部構成横断平面図
【図１０】要部構成斜視図
【図１１】要部構成横断平面図
【図１２】要部構成横断平面図
【図１３】要部構成分解斜視図
【図１４】要部構成横断平面図
【符号の説明】
２  合流搬送部分
２Ｂ  案内片
２Ｃ  取込用入口
２Ｇ  伝動機構
２Ｓ１  合流搬送部分
２Ｓ２  合流搬送部分
２ａ  受止具
２ｂ  受止具
２ｙ  枠体
２ｚ  保持板
４  主搬送部
４Ａ  保護覆
４Ｇ  伝動機構
８  案内導管
２３  案内片
２４  対向ローラ
２５Ａ  ローラ
２６  駆動モータ
２６Ａ  駆動モータ
２６ａ  歯車
２７Ｃ  手動用つまみ
２９〜２９Ｄ  歯車
３０  突起
４１Ａ・４１Ｂ  ローラ
４１Ｂ  ローラ用穴
４１Ｃ  ばね
４１Ｃ１  掛止部分
４１・４１ｂ  軸
４２  対向ベルト搬送機構
４３Ａ・４３Ｂ  プーリ
４３Ｃ〜４３Ｅ  ローラ
４４Ａ・４４Ｂ  プーリ
４５Ａ・４５Ｂ  ベルト
４６ａ・４６ｂ  歯車
５９Ａ・５９Ｂ  案内片
７１Ａ・７１Ｂ  ローラ
１００  薄片
１１０  収納箱
２３２ａ  案内溝
２５１  突条付ローラ
２５１Ａ  突条
２５１Ａ１  突起
２５１ｚ  円環状外面
３００  薄片搬送装置
５００  パチンコ台島装置
Ｃ  副搬送部分
Ｃ１ａ・Ｃ１ｂ  プーリ
Ｃ２  薄片導出口
Ｃ２ａ・Ｃ２ｂ  プーリ
Ｃ３ａ・Ｃ３ｂ  ベルト
Ｌ１  距離
Ｌ２〜Ｌ９  長さ
Ｍ  主搬送路
Ｓ  副搬送路
Ｗ  幅
【図１】
0004553511.tif 000002
【図２】
0004553511.tif 000003
【図３】
0004553511.tif 000004
【図４】
0004553511.tif 000005
【図５】
0004553511.tif 000006
【図６】
0004553511.tif 000007
【図７】
0004553511.tif 000008
【図８】
0004553511.tif 000009
【図９】
0004553511.tif 000010
【図１０】
0004553511.tif 000011
【図１１】
0004553511.tif 000012
【図１２】
0004553511.tif 000013
【図１３】
0004553511.tif 000014
【図１４】
0004553511.tif 000015